(57)【要約】【課題】  原稿を読み取りして得られた読み取り読取画像データをサーバ等の記憶手段に記憶する際に、簡単に、該原稿と読取画像データとを関連付けでき、後に、前記原稿と関連する読取画像データを記憶装置から検索する際に、容易に検索することができる画像処理装置及び画像処理方法を提供する。【解決手段】  複合機１は原稿画像の読取画像データを出力する読取部４０と、原稿に存在する無線タグに書き込まれた識別情報を読み取るＩＣタグリーダライタ部９０を備え、読取した識別情報を前記読取画像データと関連付けて記憶する記憶装置１００を備える。複合機１はデータ検索用の識別情報を入力する操作部６０と、データ検索用の識別情報と記憶装置１００に記憶された識別情報に基づいて、記憶装置１００に記憶された読取画像データを検索するＭＰＵ１０（マイクロプロセッシングユニット）を備える。【選択図】        図１
2006157439.tif 000002
【特許請求の範囲】
【請求項１】
原稿画像を読み取り、読取画像データを出力する画像読取手段と、
原稿内部又は原稿上に存在する無線タグに書き込まれた識別情報を読み取るタグ読取手段と、
記憶手段と、
同じ原稿から得た前記読取画像データと前記識別情報とを関連付けて記憶手段に記憶させる記憶制御手段と、  データ検索用の識別情報を入力する入力手段と、
前記入力手段にて入力されたデータ検索用の識別情報に基づいて、前記記憶手段に記憶されている読取画像データの検索を行う検索手段と、
前記検索手段の検索結果を出力する出力手段と
を備えたことを特徴とする画像処理装置。
【請求項２】
前記入力手段は、前記タグ読取手段からデータ検索用の識別情報を入力することを特徴とする請求項１記載の画像処理装置。
【請求項３】
原稿画像を読み取り、読取画像データを出力する画像読取手段と、
原稿内部又は原稿上に存在する無線タグに書き込まれた識別情報を読み取るタグ読取手段と、
同じ原稿から得た前記読取画像データと前記識別情報とを関連付けて外部蓄積装置に送出する第１送出手段と
を備えたことを特徴とする画像処理装置。
【請求項４】
データ検索用の識別情報を入力する入力手段と、
前記入力手段にて入力されたデータ検索用の識別情報を検索指示とともに前記外部蓄積装置に送出する第２送出手段と、
前記検索指示に対する応答として前記外部蓄積装置から受信した検索結果を出力する出力手段と
を備えたことを特徴とする請求項３に記載の画像処理装置。
【請求項５】
前記外部蓄積装置は、ネットワークを介して接続されていることを特徴とする請求項３又は４に記載の画像処理装置。
【請求項６】
前記記憶制御手段は、原稿から得た１頁の読取画像データ、又は複数頁の読取画像データ群をファイル単位で記憶手段に記憶するようにされており、
原稿の頁単位、又はファイル単位の抽出検索条件を入力する抽出検索条件入力手段を備え、
前記検索手段は、データ検索用の識別情報に基づいて前記記憶手段に記憶されている読取画像データを検索し、かつ、前記抽出検索条件に応じて原稿の頁単位或いはファイル単位で抽出することを特徴とする請求項１、２、４、５のうちいずれか１項記載の画像処理装置。
【請求項７】
原稿画像を読み取って読取画像データを出力するとともに、当該原稿内部又は原稿上に存在する無線タグに書き込まれた識別情報を読み取る第１ステップと、
第１ステップで得た読取画像データと識別情報とを関連付けて記憶手段に記憶する第２ステップと、
データ検索用の識別情報を入力する第３ステップと、
第３ステップで入力されたデータ検索用の識別情報に基づいて、記憶手段に記憶されている読取画像データの検索を行う第４ステップと、
第４ステップで検索して抽出された読取画像データを出力する第５ステップと
を備えたことを特徴とする画像処理方法。
【発明の詳細な説明】
【技術分野】
【０００１】
本発明は、画像処理装置及び画像処理方法に関する。
【背景技術】
【０００２】
従来から、ネットワーク構成において、読取画像データをサーバに蓄積し、蓄積した読取画像データを、取り出し可能にした画像処理装置が提案されている(特許文献１)。なお、読取画像データとは、イメージ化が可能なデータをいい、例えばテキストデータであっても、最終的に展開されてイメージ化が可能であるため、読取画像データに含む趣旨である。
【特許文献１】特開平８−２４１２３８号公報
【発明の開示】
【発明が解決しようとする課題】
【０００３】
しかし、特許文献１では、原稿を読み取りした際、その読み取りして生成された読取画像データを、前記サーバ内に格納し、後に、前記原稿と関連する読取画像データが必要な場合に、前記サーバから簡単にその原稿と関連した読取画像データを容易に得るための手段については開示されていない。
【０００４】
そこで、前記原稿と関連し、サーバ内に蓄積されている読取画像データを取り出す場合、取り出したい読取画像データを簡単に選択できるとよいが、従来は難しい問題があった。又、従来は、サーバ内に読取画像データが蓄積されているがどうかを検索することが難しく、手間がかかる問題があった。
【０００５】
本発明の目的は、原稿を読み取りして得られた読取画像データをサーバ等の記憶手段に記憶する際に、簡単に、該原稿と読取画像データとを関連付けでき、後に、前記原稿と関連する読取画像データを記憶装置から検索する際に、容易に検索することができる画像処理装置及び画像処理方法を提供することにある。
【課題を解決するための手段】
【０００６】
上記問題点を解決するために、請求項１に記載の発明は、原稿画像を読み取り、読取画像データを出力する画像読取手段と、原稿内部又は原稿上に存在する無線タグに書き込まれた識別情報を読み取るタグ読取手段と、記憶手段と、同じ原稿から得た前記読み取り読取画像データと前記識別情報とを関連付けて記憶手段に記憶させる記憶制御手段と、データ検索用の識別情報を入力する入力手段と、前記入力手段にて入力されたデータ検索用の識別情報に基づいて、前記記憶手段に記憶されている読取画像データの検索を行う検索手段と、前記検索手段の検索結果を出力する出力手段とを備えたことを特徴とする画像処理装置を要旨とするものである。
【０００７】
請求項２の発明は、請求項１において、前記入力手段は、前記タグ読取手段からデータ検索用の識別情報を入力することを特徴とする。
請求項３の発明は、原稿画像を読み取り、読取画像データを出力する画像読取手段と、原稿内部又は原稿上に存在する無線タグに書き込まれた識別情報を読み取るタグ読取手段と、同じ原稿から得た前記読取画像データと前記識別情報とを関連付けて外部蓄積装置に送出する第１送出手段とを備えたことを特徴とする画像処理装置を要旨とするものである。
【０００８】
請求項４の発明は、請求項３において、データ検索用の識別情報を入力する入力手段と、前記入力手段にて入力されたデータ検索用の識別情報を検索指示とともに前記外部蓄積装置に送出する第２送出手段と、前記検索指示に対する応答として前記外部蓄積装置から受信した検索結果を出力する出力手段とを備えたことを特徴とする。
【０００９】
請求項５の発明は、請求項３又は４において、前記外部蓄積装置は、ネットワークを介して接続されていることを特徴とする。
請求項６の発明は、請求項１、２、４、５のうちいずれか１項において、前記記憶制御手段は、原稿から得た１頁の読取画像データ、又は複数頁の読取画像データ群をファイル単位で記憶手段に記憶するようにされており、原稿の頁単位、又はファイル単位の抽出検索条件を入力する抽出検索条件入力手段を備え、前記検索手段は、データ検索用の識別情報に基づいて前記記憶手段に記憶されている読取画像データを検索し、かつ、前記抽出検索条件に応じて原稿の頁単位或いはファイル単位で抽出することを特徴とする。
【００１０】
請求項７の発明は、原稿画像を読み取って読取画像データを出力するとともに、当該原稿内部又は原稿上に存在する無線タグに書き込まれた識別情報を読み取る第１ステップと、第１ステップで得た読取画像データと識別情報とを関連付けて記憶手段に記憶する第２ステップと、データ検索用の識別情報を入力する第３ステップと、第３ステップで入力されたデータ検索用の識別情報に基づいて、記憶手段に記憶されている読取画像データの検索を行う第４ステップと、第４ステップで検索して抽出された読取画像データを出力する第５ステップとを備えたことを特徴とする画像処理方法を要旨とするものである。
【発明の効果】
【００１１】
請求項１、請求項３、及び請求項７の発明によれば、原稿を読み取りして得られた読み取り読取画像データをサーバ等の記憶手段に記憶する際に、簡単に、該原稿と読取画像データとを関連付けできる。この結果、後に、前記原稿と関連する読取画像データを記憶装置から検索する際に、容易に検索することができる効果がある。
【００１２】
請求項２の発明によれば、原稿画像の読取時に識別情報を読み取ったタグ読取手段を、データ検索時の識別情報入力に用いるようにしたので、データ検索時の識別情報入力用に別途タグ読取手段を必要とすることなく、又、検索用識別情報を手入力しなくて済むという効果を奏する。
【００１３】
請求項４の発明によれば、データ検索用の識別情報を入力して、第２送出手段にて該データ検索用の識別情報を外部蓄積装置に対して送出することにより、その応答として、外部蓄積装置から受信した検索結果を出力手段にて、出力できる効果がある。
【００１４】
請求項５の発明によれば、外部蓄積装置がネットワークを介して接続されたものであっても、請求項４の効果を容易に実現することができる。
請求項６の発明によれば、抽出検索条件に応じて、第２識別情報に対応する読取画像データの頁を含むファイル全体の読取画像データを抽出したり、或いは、第２識別情報に対応する読取画像データの頁のみを抽出できる効果がある。又、請求項６の発明は、抽出検索条件を選択することもできる効果がある。
【発明を実施するための最良の形態】
【００１５】
（第１実施形態）
以下、本発明の画像処理装置を、ネットワークスキャンが可能な複合機１に具体化した第１実施形態を、図１〜６を参照して説明する。複合機１は、画像処理装置に相当する。
【００１６】
図１は、本実施形態に係る複合機１の電気的構成を示すブロック図である。同図に示すように、複合機１は、ＭＰＵ１０（Micro Processing Unit）、ＲＯＭ２０、ＲＡＭ３０、クロック回路３５、読取部４０、記録部５０、操作部６０、表示部７０、画像メモリ８０、コーデック、モデム、ＮＣＵ（共に図示しない）、記憶装置１００及びＬＡＮインターフェィス１１０等から構成される。なお、コーデック、モデム、ＮＣＵ(網制御装置)は、本発明とは直接関係しないため、説明を省略する。又、前記各部、及び各装置はバス１２０を介してＭＰＵ１０に対してそれぞれ接続されている。
【００１７】
ＭＰＵ１０は、複合機１を構成する各部を制御する。ＲＯＭ２０は、複合機１を制御するための各種プログラムを記憶する。ＲＡＭ３０は、複合機１に関する各種情報を記憶する。クロック回路３５は、現在日時を計時し、ＭＰＵ１０からの要求信号に応じて、現在日時の情報をＭＰＵ１０に出力する。
【００１８】
図１に示す読取部４０は、原稿載置板（図示しない）上に載置された静止原稿を読み取るＦＢＳ４３（フラットベッドスキャナ）を備え、原稿上の読取画像データを読み取って、白黒２値のイメージデータを出力する。又、読取部４０は、ＡＤＦ４１（Auto  Document  Ｆeeder）を備えている。ＡＤＦ４１は、原稿台に載置された複数の原稿を１枚ずつ自動的に搬送して、原稿画像を読取部４０にて読み取らせる。読取部４０により画像読取手段が構成されている。
【００１９】
ＡＤＦ４１には、原稿が原稿台に載置されたことを検出するための原稿有無センサ４２が配設されている。この原稿有無センサ４２は、原稿の有無に応じて検出信号をＭＰＵ１０に出力する。一方、ＦＢＳ４３には、原稿カバー(図示しない)の開閉状態を検出するためのカバー開閉センサ４４が配設されている。このカバー開閉センサ４４は、原稿カバーの開閉がされた際に、原稿検出の信号をＭＰＵ１０に出力する。
【００２０】
記録部５０は、電子写真方式のプリンタよりなり、受信画像データや、コピー動作において読取部４０にて読み取られた原稿画像の読取画像データを、記録媒体としての記録紙上に記録する。
【００２１】
操作部６０は、ファイル作成を行うためのファイル作成キー６２、文字キー６３や、テンキー６４、各種のモードの実行を開始させるためのスタートキー６５、ファイル作成モードや、検索モード等の各種モードの切替設定を行うためのモード設定キー６６等を備えている。操作部６０は、データ検索用の識別情報を入力する入力手段に相当する。なお、以下では、説明の便宜上、データ検索用の識別情報を第２識別情報といい、原稿と関連付けされる、又は原稿と関連付けされた識別情報を第１識別情報という。
【００２２】
表示部７０は、ＬＣＤ（液晶表示装置）等よりなり、複合機１の動作状態等の各種情報の表示を行う。画像メモリ８０は、ＤＲＡＭ等で構成され、受信画像データや読取部４０で読み取られた読取画像データを一時的に記憶する。
【００２３】
ＩＣタグリーダライタ部９０は、インターフェィス９２を介して、バス１２０に接続されており、図示しない原稿に設けられた無線タグとしてのＩＣタグとの間で、無線通信を行うようにされている。ＩＣタグリーダライタ部９０は、タグ読取手段に相当する。
【００２４】
一般的に、ＩＣタグは、利用する通信周波数等により分類される通信方式により、主に４種類に分類されている。前記分類は、ＩＣタグと読み書きを行うＩＣタグリーダライタ部９０との通信距離が長い順から、マイクロ波型、近傍型、近接型、密着型とされている。マイクロ波型は、マイクロ波の電磁誘導を利用するものであり、通信距離は３ｍ〜１０ｍ程度のものである。近傍型は、長波の電磁誘導を利用したものであり、その通信距離は３０〜７０ｃｍ程度である。近接型は、短波の電磁誘導を利用したもので、その通信距離は１〜３０ｃｍ程度である。密着型は、短波の電磁誘導を利用したもので、その通信距離は数ｍｍ程度である。
【００２５】
本発明では、紙からなる原稿上に、又は、原稿内（例えばＩＣタグが抄き込まれている場合）にＩＣタグを設けているため、ＩＣタグは、電磁誘導により電源を得る無電池のものとなる型が好ましく、近傍型から密着型のいずれかを使用すればよい。以下、本実施形態では、近傍型のＩＣタグを使用しているものとして説明するが、他の無電池の型であってもよい。又、本実施形態のＩＣタグの図示しない記憶部には、原稿を特定するための第１識別情報、及び原稿の内容（原稿サイズ、カラー／モノクロ等）に関する情報（すなわち、内容情報）が、予め格納されているものとする。これらの情報は、例えば、印字装置にて原稿に印字される際や、コピー機等にてコピーが行われる際に、当該印字装置や、コピー機等に備わったＩＣタグライタ（図示しない）により当該原稿が有するＩＣタグの記憶部に書き込まれる。なお、ＩＣタグの記憶部（図示しない）が記憶する各種情報（第１識別情報、内容情報を含む）を含めてタグ情報という。
【００２６】
ＩＣタグリーダライタ部９０は、ＡＤＦ４１の原稿台又はＦＢＳ４３の原稿が載置されるフラットベッドガラス（図示しない）に対してＩＣタグを設けた原稿を載置したときに、該ＩＣタグと通信可能な距離範囲内に位置するように、複合機１に設けられている。ＩＣタグリーダライタ部９０を設ける場所は、限定するものではないが、例えば、ＦＢＳ４３の原稿カバー（図示しない）や、ＡＤＦ４１の原稿台等に設ければよい。ＩＣタグリーダライタ部９０と、ＩＣタグとの間の無線通信は、ＩＳ０１４４４３やＩＳＯ１５６９３に規定された各種通信方式を用いて行うことができるようにされている。しかし、これらの通信方式に限定されるものではない。いずれの通信方式を用いた場合でも、まず、ＩＣタグリーダライタ部９０から通信を要求するリクエスト信号を送信する必要があるため、原稿有無センサ４２又は、カバー開閉センサ４４により、原稿検出がされた場合に、リクエスト信号を送信するようにされている。
【００２７】
本実施形態では、複合機１は、ファイルサーバ機能を有している。具体的には、記憶装置１００に各種のファイルが記憶されるようにされており、後述するＬＡＮ１３０を介して、ネットワーク端末１４０、サーバ１５０等から転送された画像データ等を含む各種データをファイルとして格納するとともに、格納されたファイルをネットワーク端末１４０、サーバ１５０等に転送可能である。前記記憶装置１００は、例えば、ハードディスク(ＨＤＤ)から構成されている。又、記憶装置１００は、自機で原稿を読み取りした読み取り読取画像データを記憶して蓄積及び読み出し可能である。記憶装置１００の記憶領域には、図４に示すように、ファイル管理テーブル２００を備えている。ファイル管理テーブル２００は、識別情報欄２１０、内容情報欄２２０、記憶装置の記憶領域を示すアドレス欄２３０、記憶した日時が書き込まれるタイム欄２４０を有する。記憶装置１００は、記憶手段に相当する。
【００２８】
前記読取部４０にて生成された読取画像データや、後述するＬＡＮ１３０を介して転送されてきた読取画像データを、ファイルとしてＭＰＵ１０が記憶装置１００に蓄積（記憶）する際に、該ＭＰＵ１０は、該読取画像データとともに、送られてきた第１識別情報、内容情報を、識別情報欄２１０，内容情報欄２２０にそれぞれ記録する。又、同時にＭＰＵ１０は、アドレス欄２３０に当該読取画像データが記録された領域のアドレスを書き込みするとともに、タイム欄２４０にクロック回路３５が計時した現在日時を書き込みする。
【００２９】
ＬＡＮ  インターフェィス１１０は、ＬＡＮ（ローカルエリアネットワーク）１３０との接続用インターフェィスであり、複合機１は、このＬＡＮ  インターフェィス１１０を介してＬＡＮ１３０経由で、ネットワーク端末１４０やサーバ１５０と電子メールや、データの送受信等を行う。そして、複合機１は、ＬＡＮ  インターフェィス１１０を介してＬＡＮ１３０経由で、複数のネットワーク端末１４０や、サーバ１５０と共有可能とされている。ネットワーク端末１４０及びサーバ１５０は、複合機１と同様に、ＭＰＵ，ＲＯＭ、ＲＡＭ、クロック回路，表示部，画像メモリ，ＬＡＮインターフェィス等を備えている。
【００３０】
（第１実施形態の作用）
図２は、読取部４０のＦＢＳ４３を使用して原稿の内容をファイルする際、ＲＯＭ２０に記憶されたファイル格納プログラムに基づき、ＭＰＵ１０が実行する処理のフローチャートである。このフローチャートは、モード設定キー６６にてファイル作成モードに設定され、スタートキー６５が操作されたとき、実行される。
【００３１】
Ｓ１０では、スタートキー６５のオン操作に応じて、ＭＰＵ１０は、読取部４０を制御して、ＦＢＳ４３のフラットベッドガラス（図示しない）に載置された静止原稿の読取（スキャン）を行わせる。ここでは、ＭＰＵ１０は、画像メモリ８０に対して、読取部４０にて原稿が読み取りされて生成された読取画像データを一旦蓄積する。
【００３２】
Ｓ２０では、ＭＰＵ１０は、タグ情報が読み取られたか否かを判定する。ここで、ＩＣタグからのタグ情報の入力の仕方について説明する。
原稿がフラットベッドガラス（図示しない）に載置され、原稿カバーが閉じられてカバー開閉センサ４４が原稿検出をすると、ＭＰＵ１０は、ＩＣタグリーダライタ部９０に対してリクエスト信号を送信するように制御指令を発する。ＩＣタグリーダライタ部９０は、この制御指令を受けて、図示しないアンテナからリクエスト信号を送信する。このリクエスト信号に対して、IＤタグから応答波がなければ、ＭＰＵ１０は、フラットベッドガラス（図示しない）に載置された原稿がＩＣタグを備えた原稿ではない、すなわち、「タグ情報がなく、その結果、識別情報（第１識別情報）がない」と判定する。そして、このときの「識別情報（第１識別情報）がない」の判定結果を、ＭＰＵ１０は、Ｓ２０での判定に使用する。
【００３３】
又、前記リクエスト信号に対するＩＣタグからの応答波をＩＣタグリーダライタ部９０が受信した場合、ＭＰＵ１０は、この応答波に含まれるタグ情報を解析して、該タグ情報に識別情報（第１識別情報）があると判定する。そして、このときの「識別情報（第１識別情報）が有り」の判定結果を、ＭＰＵ１０は、Ｓ２０での判定に使用する。
【００３４】
Ｓ２０において、ＭＰＵ１０は、「識別情報（第１識別情報）が有り」と判定すると、Ｓ３０において、原稿のＩＣタグから取得した第１識別情報及び内容情報と、画像メモリ８０に蓄積した読取画像データとを関連付けして、記憶装置１００に蓄積し、このフローチャートを終了する。記憶装置１００は、この読取画像データをファイルとして蓄積する時に、図４に示すように、ファイル管理テーブル２００の識別情報欄２１０，及び内容情報欄２２０に、該読取画像データとともに送られてきた第１識別情報、内容情報をそれぞれ記録する。又、同時に、ＭＰＵ１０は、ファイル識別欄２５０にファイルの識別ができるようにファイル識別子を書き込み、アドレス欄２３０に当該読取画像データを含むファイルが記録された領域のアドレスを書き込みするとともに、タイム欄２４０にクロック回路３５が計時した現在日時を書き込みする。
【００３５】
なお、上記の各種のデータの記憶装置１００への書き込みは、原稿１頁毎に行われるが、ＦＢＳ４３の１枚の原稿読取が完了してから、所定時間（例えば、１０秒）内に次の１頁の原稿が読取りされた場合は、１つのファイルに纏めるべき各種データであるとして、記憶装置１００に書き込む。すなわち、この場合は、続けてＦＢＳ４３に読取りされた原稿に対応するファイル識別欄２５０には、同じファイル識別子が記録される。
【００３６】
又、ＦＢＳ４３の１枚の原稿読取が完了してから、所定時間（例えば、１０秒）を越えて次の１頁の原稿が読取りされた場合は、後に読み込まれた原稿は別のファイルに纏めるべき各種データであるとして、記憶装置１００に書き込む。すなわち、この場合は、後にＦＢＳ４３に読取りされて得られた読取画像データに対応するファイル識別欄２５０には、先に読取りされて得られた読取画像データとは異なるファイル識別子が付与される。
【００３７】
Ｓ３０の処理を行うＭＰＵ１０は、記憶制御手段に相当する。
又、Ｓ２０において、ＭＰＵ１０は、「識別情報（第１識別情報）がない」と判定すると、Ｓ４０に移行する。Ｓ４０において、図５に示すように、表示部７０の表示画面７１に第１識別情報と、内容情報のそれぞれについて、入力する識別情報欄７２及び内容情報欄７３を表示し、当該識別情報欄７２及び内容情報欄７３のそれぞれに第１識別情報と内容情報についての入力が有るか否かの判定を行う。
【００３８】
文字キー６３や、テンキー６４により、識別情報欄７２及び内容情報欄７３のそれぞれに第１識別情報と内容情報入力があった場合は、Ｓ５０において、入力された第１識別情報及び内容情報と、画像メモリ８０に蓄積した読取画像データとを関連付けして、記憶装置１００に蓄積し、このフローチャートを終了する。
【００３９】
この読取画像データをファイルとして蓄積する時に、Ｓ３０と同様に、ファイル管理テーブル２００の識別情報欄２１０，内容情報欄２２０、アドレス欄２３０、タイム欄２４０に第１識別情報、内容情報、アドレス、現在日時をそれぞれ書き込む。
【００４０】
又、Ｓ４０において、ＭＰＵ１０は、操作部６０の図示しないストップキーの操作入力があった場合には、このフローチャートを終了する。
なお、ＡＤＦ４１を使用して原稿を読み取り生成した読取画像データをファイルする際は、ＲＯＭ２０に記憶されたＡＤＦ使用のファイル格納プログラムに基づき、原稿の読み取りが行われる。この場合、図２と略同様の処理が行われるが、ＡＤＦ４１を使用して原稿を読み取りする際、Ｓ１０におけるスキャンの仕方が異なるだけであり、このスキャンは公知であり、他のステップについてはＦＢＳ４３で行うコピー処理と同様に行われるため、その説明を省略する。なお、ＡＤＦ４１に複数頁の原稿セットして使用した場合は、ＡＤＦ４１にて読取されて得られた該複数頁の原稿の読取画像データをファイルする際、それらの読取画像データには共通のファイル識別子が付与されるように図４のファイル識別欄２５０に記録される。
【００４１】
次に、記憶装置１００にファイルとして蓄積した読取画像データを検索する場合を図３を参照して説明する。
図３は、ＲＯＭ２０に記憶された検索プログラムに基づき、ＭＰＵ１０が実行する処理のフローチャートである。このフローチャートは、モード設定キー６６により、検索モードに設定され、スタートキー６５が操作されたとき、実行される。
【００４２】
Ｓ１００では、図６に示すようにモード設定キー６６により、表示部７０の表示画面７１に表示された識別情報欄７２にデータ検索用の識別情報（第２識別情報）が入力されたか否かを判定する。識別情報欄７２に対して、テンキー６４や、文字キー６３により、第２識別情報が入力されて、スタートキー６５が入力操作されると、Ｓ１１０において、ＭＰＵ１０は、入力された第２識別情報に合致する第１識別情報がファイル管理テーブル２００にあるかを検索し、Ｓ１２０において、検索結果を出力し、このフローチャートを終了する。ここでの検索結果の出力とは、検索して第２識別情報と合致する第１識別情報があった場合、その第１識別情報に関連付けられた読取画像データ（原稿の１頁分）を記録部５０を使用して、記録媒体としての記録紙上に印刷される。或いは、検索結果の出力とは、検索して第２識別情報と合致する第１識別情報がない場合は、見つからなかった旨の情報を記録部５０又は表示部７０に表示出力することである。このようにして、検索結果をユーザに知らせる。Ｓ１１０の処理を行うＭＰＵ１０は、検索手段に相当する。
【００４３】
又、Ｓ１２０の検索結果の出力を行う表示部７０や、記録部５０は出力手段に相当する。なお、出力手段は、記録部５０や、表示部７０に限定するものではなく、ＬＡＮ  インターフェィス１１０としてもよい。又、出力手段をＬＡＮ  インターフェィス１１０にした場合、検索結果は、ＬＡＮ  インターフェィス１１０を介してＬＡＮ１３０経由で、ネットワーク端末１４０やサーバ１５０に送信される。
【００４４】
以上のようにして、第１実施形態では、第２識別情報が入力されると、ＭＰＵ１０は、入力された第２識別情報に基づいて、記憶装置１００のファイル管理テーブル２００を参照して、入力された第２識別情報と合致する第１識別情報を有するファイルを検索する。このことにより、ファイルとして蓄積された読取画像データを容易に検索することができる。又、第１実施形態では、原稿を読み取りして得られた読取画像データを記憶装置１００に記憶する際に、ＩＣタグリーダライタ部９０にて読み取りされたＩＣタグの第１識別情報により、簡単に、該原稿と読取画像データとを関連付けできるため、後に、原稿と関連する読取画像データを記憶装置１００から検索する際に、容易に検索することができる。
【００４５】
（第２実施形態）
次に、第２実施形態を図７〜９を参照して説明する。なお、第１実施形態と同一構成については、同一符号を付して、その説明を省略し、異なる構成について説明する。
【００４６】
第２実施形態では、記憶装置１００が省略され、その代わりに、サーバ１５０に記憶装置１６０が設けられているところが異なっている。サーバ１５０は、外部蓄積装置に相当する。サーバ１５０は、複合機１と同様に、ＭＰＵ１５２，ＲＯＭ１５４、ＲＡＭ、クロック回路，表示部，画像メモリ，ＬＡＮインターフェィス（ともに図示しない）等を備えている。第２実施形態においては、画像処理装置は、複合機１及びＬＡＮ１３０介して接続されたサーバ１５０を含む。
【００４７】
図８は、第２実施形態において、読取部４０のＦＢＳ４３を使用して原稿の内容をファイルする際、複合機１のＲＯＭ２０に記憶されたファイル格納プログラムに基づき、複合機１のＭＰＵ１０が実行する処理のフローチャートである。このフローチャートは、第１実施形態と同様にモード設定キー６６にてファイル作成モードに設定され、スタートキー６５が操作されたとき、実行される。なお、第２実施形態では、Ｓ３０，Ｓ５０の代わりにＳ３０Ａ，Ｓ５０Ａが異なるため、これらのステップについて説明する。
【００４８】
すなわち、Ｓ３０Ａ及びＳ５０Ａでは、ＭＰＵ１０は第１識別情報と内容情報を読取画像データに関連付けて、ＬＡＮインターフェィス１１０を介して、サーバ１５０に第１識別情報、内容情報、及び、読み取りして生成した読取画像データを関連付けて転送する。ここで、ＭＰＵ１０は、第１送出手段に相当する。
【００４９】
そして、サーバ１５０のＭＰＵ１５２は、読み取りして生成した読取画像データをファイルとして蓄積する時に、Ｓ３０と同様に、ファイル管理テーブル２００の識別情報欄２１０，内容情報欄２２０、アドレス欄２３０、タイム欄２４０に前記読取画像データと関連づけされた第１識別情報、内容情報、アドレス、現在日時をそれぞれ書き込む。第２実施形態では、記憶装置１６０が記憶手段に相当し、サーバ１５０のＭＰＵ１５２が検索手段に相当する。
【００５０】
次に、記憶装置１６０にファイルとして蓄積した読取画像データを検索する場合を図９を参照して説明する。
図９は、ＲＯＭ１５４に記憶された検索プログラムに基づき、ＭＰＵ１５２が実行する処理のフローチャートである。このフローチャートは、ＬＡＮ１３０を介して、ＭＰＵ１５２に入力された検索要求指令（検索指示）に応じて実行される。前記検索要求指令は、例えば、複合機１において、操作部６０のモード設定キー６６により、表示部７０の表示画面７１に表示された状態で、識別情報欄７２に第２識別情報が入力され、スタートキー６５が入力操作されると、ＭＰＵ１０からＬＡＮインターフェィス１１０を介して、該第２識別情報とともにサーバ１５０に転送される。ここで、複合機１のＭＰＵ１０は、請求項４の第２送出手段に相当する。又、操作部６０は、請求項４の入力手段に相当する。  サーバ１５０のＭＰＵ１５２は、Ｓ２００で第２識別情報が入力されると、Ｓ２１０において、入力された第２識別情報に合致する第１識別情報をファイル管理テーブルから検索し、Ｓ２２０において、その検索結果を、検索要求指令を発した複合機１に対して、転送出力し、このフローチャートを終了する。
【００５１】
検索結果は、複合機１において、ＭＰＵ１０により、記録部５０又は表示部７０により出力される。すなわち、第２識別情報と合致する第１識別情報があった場合は、該第１識別情報に関連付けられた読取画像データ（原稿の１頁分）が記録部５０にて記録紙上に印刷される。或いは、第２識別情報と合致する第１識別情報がない場合は、見つからなかった旨の情報がＭＰＵ１０により、記録部５０又は表示部７０に表示出力される。このようにして、検索結果がユーザに知らされる。
【００５２】
このように、第２実施形態では、画像処理装置を複合機１とサーバ１５０を含む構成としたが、このような構成においても、第２識別情報が入力されると、ＭＰＵ１５２は、入力された第２識別情報に基づいて、記憶装置１６０のファイル管理テーブルを参照して、入力された第２識別情報と合致する第１識別情報を有するファイルを検索する。このことにより、ファイルとして蓄積された読取画像データを容易に検索することができる。又、第２実施形態においても、原稿を読み取りして得られた読取画像データを記憶装置１６０に記憶する際に、簡単に、該原稿と読取画像データとを関連付けできるため、後に、原稿と関連する読取画像データを記憶装置１６０から検索する際に、容易に検索することができる。
【００５３】
（第３実施形態）
次に、第３実施形態を図１０及び図１１を参照して説明する。第３実施形態は、第１実施形態と検索モードの内容が異なっており、ハード構成については同じである。そのため、第１実施形態と同一構成については、同一符号を付して、その説明を省略し、異なる内容について説明する。第１実施形態では、第２識別情報に基づいて抽出した読取画像データは、当該第２識別情報に関連付けられた読取画像データのみを抽出してその検索結果を出力するようにした。それに対して、第３実施形態では、ファイル単位か、原稿の頁単位のいずれかの抽出検索条件を入力することにより、入力された抽出検索条件にあった検索結果を出力するところが異なっている。以下、詳細な説明をする。
【００５４】
図１０は、ＲＯＭ２０に記憶された検索プログラムに基づき、ＭＰＵ１０が実行する処理のフローチャートである。このフローチャートは、モード設定キー６６により、検索モードに設定され、スタートキー６５が操作されたとき、実行される。
【００５５】
Ｓ３００では、モード設定キー６６により、図１１に示すように表示部７０の表示画面７１に表示された識別情報欄７２にデータ検索用の識別情報（第２識別情報）、及び抽出検索条件欄７４に抽出検索条件が入力されたか否かを判定する。なお、抽出検索条件欄７４には、「ファイル単位」又は「頁単位」の入力が可能である（図１１では、説明の便宜上、「頁単位」が表示されているが、「ファイル単位」の表示も可能である。）。この「ファイル単位」又は「頁単位」の抽出検索条件の入力は、操作部６０の図示しない選択キーの操作に基づいて、択一的に入力可能である。
【００５６】
識別情報欄７２に対し、テンキー６４や、文字キー６３により、第２識別情報が入力されて、スタートキー６５が入力され、かつ、抽出検索条件が入力されると、ＭＰＵ１０は、Ｓ３１０において抽出検索条件が、ファイル単位か否かを、Ｓ３００で入力された抽出検索条件に基づいて判定する。
【００５７】
そして、Ｓ３２０において、ＭＰＵ１０は、入力された第２識別情報に合致する第１識別情報がファイル管理テーブル２００にあるかを検索する。そして、ＭＰＵ１０は、第２識別情報に合致する第１識別情報が検索できた場合、抽出検索条件が、ファイル単位であるため、検索できた第１識別情報が付与されている読取画像データと、該読取画像データに付与されているファイル識別子と同じファイル識別子を有する他の読取画像データとをファイル単位で抽出する。そして、Ｓ３３０において、ＭＰＵ１０は、抽出した結果を検索結果として、記録部５０を使用して紙に印刷する。
【００５８】
なお、検索できなかった場合には、ＭＰＵ１０は、Ｓ３３０において、見つからなかった旨の情報を記録部５０又は表示部７０に表示出力する。このようにして、検索結果をユーザに知らせる。
【００５９】
又、Ｓ３１０において、抽出検索条件が、頁単位である場合は、ＭＰＵ１０は判定を「ＮＯ」とし、Ｓ３４０において、第１実施形態のＳ１１０と同様に、入力された第２識別情報に合致する第１識別情報がファイル管理テーブル２００にあるかを検索する。そして、ＭＰＵ１０は、第２識別情報に合致する第１識別情報が検索できた場合、抽出検索条件が、頁単位であるため、その第１識別情報に関連付けられた読取画像データ（原稿の１頁分）を頁単位で抽出する。そして、Ｓ３３０において、ＭＰＵ１０は、抽出した結果を検索結果として、記録部５０を使用して紙に印刷する。
【００６０】
或いは、検索結果の出力として、検索して第２識別情報と合致する第１識別情報がない場合、見つからなかった旨の情報が記録部５０又は表示部７０に表示出力される。このようにして、検索結果をユーザに知らせる。前記Ｓ３２０，Ｓ３４０の処理を行うＭＰＵ１０は、検索手段に相当する。  なお、本発明は前記実施形態に限定するものではなく、下記のように具体化してもよい。
【００６１】
○  第１実施形態では、データ検索用の識別情報（第２識別情報）を手入力するようにしたが、手入力に限定するものではない。原稿に付されたＩＣタグ、或いは、ユーザが有しているＩＣタグから、ＩＣタグリーダライタ部９０が第２識別情報を読み取りして入力するようにしてもよい。例えば、図３において、Ｓ１００では、ＭＰＵ１０は、ＩＣタグリーダライタ部９０が読み取りした第２識別情報に基づいてＳ１１０に移行する。この場合には、ＩＣタグリーダライタ部９０は、データ検索用の識別情報（第２識別情報）を入力する入力手段に相当する。
【００６２】
○  前記第１実施形態及び第２実施形態では、複合機１の操作部６０により、第２識別情報を入力するようにした。これに代えて、外部装置としてのネットワーク端末１４０が備える図示しない操作部から第２識別情報が入力され、その入力された第２識別情報に基づいて、記憶装置１００、１６０に蓄積したファイルから、複合機１のＭＰＵ１０や、サーバ１５０のＭＰＵ（図示しない）により目的の読取画像データのファイルを検索するようにしてもよい。この場合、ネットワーク端末１４０が備える図示しない操作部が入力手段に相当する。
【００６３】
○  又、ネットワーク端末１４０においても、ＩＣタグリーダライタ部（図示しない）或いは、ＩＣタグリーダを設けて、ＩＣタグから第２識別情報を読み取り、この読み取りした第２識別情報に基づいて、記憶装置１００、１６０に蓄積したファイルから目的のファイルを検索するようにしてもよい。この場合、ネットワーク端末１４０が備えるＩＣタグリーダライタ部（図示しない）或いは、ＩＣタグリーダが入力手段に相当する。
【００６４】
○  なお、第２識別情報と、第１識別情報の合致とは完全一致を意味するものではなく、部分一致する場合も含む趣旨である。例えば、「＊＊＊＊＊＊」（＊は、数、又は文字）のように複数桁数で、識別情報が構成され、該桁数のうち、上位桁数と下位桁数とが一定の規則に従って、原稿の内容を系統的に識別できるようにしている場合、上位桁数のみが一致する場合は部分一致する（対応する）として、合致していると判定するようにしてもよい。なお、「対応する」とは、上記例では、上位桁数が一致した場合で説明したが、下位桁数同士や、特定の桁数同士が一致する場合に、第２識別情報と第１識別情報とが対応するとしてもよい。すなわち、この場合、入力された第２識別情報に対応する第１識別情報と関連付けて記憶された読取画像データを特定することになる。
【図面の簡単な説明】
【００６５】
【図１】本発明を具体化した第１実施形態の複合機１のブロック図。
【図２】第１実施形態のＭＰＵ１０が実行するファイル作成モード時のフローチャート。
【図３】同じくＭＰＵ１０が実行する検索モード時のフローチャート。
【図４】同じくファイル管理テーブルの説明図。
【図５】表示部７０の表示画面の説明図。
【図６】表示部７０の表示画面の説明図。
【図７】第２実施形態の複合機１のブロック図。
【図８】第２実施形態のＭＰＵ１０が実行するファイル作成モード時のフローチャート。
【図９】同じくＭＰＵ１５２が実行するフローチャート。
【図１０】他の実施形態におけるＭＰＵが実行するフローチャート。
【図１１】表示部７０の表示画面の説明図。
【符号の説明】
【００６６】
１…複合機（画像処理装置）
１０…ＭＰＵ（検索手段、記憶制御手段、第１送出手段、第２送出手段）
４０…読取部（画像読取手段）
５０…記録部（出力手段）
６０…操作部（入力手段、抽出検索条件入力手段）
７０…表示手段（出力手段）
９０…ＩＣタグリーダライタ部（タグ読取手段）
１００…記憶装置（記憶手段）
１１０…ＬＡＮ  インターフェィス（出力手段）
１５０…サーバ（外部蓄積装置）
【図１】
2006157439.tif 000003
【図２】
2006157439.tif 000004
【図３】
2006157439.tif 000005
【図４】
2006157439.tif 000006
【図５】
2006157439.tif 000007
【図６】
2006157439.tif 000008
【図７】
2006157439.tif 000009
【図８】
2006157439.tif 000010
【図９】
2006157439.tif 000011
【図１０】
2006157439.tif 000012
【図１１】
2006157439.tif 000013